(57)【特許請求の範囲】
【請求項１】
扉内板側に取り付けられる固定部と、収納容器を載置するフレーム基部と、を備えた左右の扉枠を有する冷蔵庫において、
前記固定部と前記フレーム基部との間に設けられ、該固定部とフレーム基部とを連結するフレーム前端部と、
前記扉枠の上縁であって前記フレーム前端部と前記固定部と前記フレーム基部とに設けられ、且つ前記収納容器の反対方向に折り曲げられた折り曲げフランジ部と、
前記フレーム前端部に、扉開閉時の収納容器の動きを規制する略鉛直方向の立上げ部と、
前記収納容器の前面に前記立上げ部に添って設けられたストッパー部と、を備え、
前記収納容器のストッパー部が前記フレーム前端部の前記立上げ部に当接して、前記扉枠と前記収納容器とは前後方向に位置規制されることを特徴とする冷蔵庫。
【請求項２】
請求項１において、前記収納容器は上段収納容器と下段収納容器とを有し、前記上段収納容器に設けられた当接部が前記下段容器に設けられたストッパー後面に当接して、前記下段収納容器と上段収納容器との前後方向の位置決めを行うようにしたことを特徴とする冷蔵庫。
【請求項３】
請求項１又は２において、前記固定部の高さ寸法を、前記フレーム基部の高さ寸法の１.５倍以上にしたことを特徴とする冷蔵庫。
【請求項４】
請求項１〜３のいずれか１項において、前記扉枠の前記固定部の高さ位置は前記フレーム基部の高さ位置より高く設けられ、前記固定部は複数の係止具により前記補強部材に固定され、
少なくとも前記係止具の一の固定位置は前記フレーム基部の高さ位置より高い位置にしたことを特徴とする冷蔵庫。
【請求項５】
請求項１〜４のいずれか１項において、前記補強部材は前記扉内板と前記収納容器との間隔を縮めるために、前記固定部の前記折り曲げフランジが前記収納容器側に突出する寸法を吸収する凹部を有することを特徴とする冷蔵庫。
【請求項６】
請求項１〜５のいずれか１項において、前記扉枠の前端部及び前記固定部は、前記フレーム基部と別体に設けられ、前記前端部及び前記固定部と前記フレーム基部とは溶接されることを特徴とする冷蔵庫。
【発明の詳細な説明】
【技術分野】
【０００１】
本発明は冷蔵庫に関する。
【背景技術】
【０００２】
従来、引き出し扉を有する冷蔵庫の構成としては、例えば、特許文献１に記載されているように、引き出し扉に取り付けられる扉補強板と、該扉補強板に取り付けられるレール部材（以下扉枠と表示する）とを有し、その扉枠の取り付け方法は、該扉枠本体に対して略直角に折り曲げられた取付部を、扉内板の上から前記扉補強板にねじ止めするものが知られている。
【０００３】
【特許文献１】特開平６−２６５２６３号公報
【発明の開示】
【発明が解決しようとする課題】
【０００４】
近年では食生活が変化してきており、毎日の食材をこまめに近隣の食品店で購入して調理する食生活から、郊外型の大型スーパーマーケットなどで食品を例えば一週間分まとめて購入し、冷蔵庫に貯蔵することが一般化してきている。また、冷凍食品の利用が増えたことに対応して家庭でも４００リットルを超える容量の大型冷蔵庫が一般的に普及してきている。
【０００５】
ところが、冷蔵庫の大型化に伴って、冷蔵庫に収納される食品の量も増え、冷凍室等には例えば２０kg以上の食品を保管するので、冷凍室等の食品収納容器の負荷が大きくなるので、扉を開く場合には、該扉を支持する扉枠に大きな負荷が掛かりその取り付け部に大きなモーメント負荷が加わる。
【０００６】
つまり、特許文献１に記載の構成では、食品収納容器の負荷を支持して、扉と共に引き出される扉枠の扉への取り付け部に、大きなモーメント負荷が加わる。しかも、このモーメント負荷は、冷蔵庫の扉を開放するたびに発生する。従って、該冷蔵庫を長期間使用すると、扉取り付け部に亀裂等の破損が生じる恐れがある。
【０００７】
また、最近は、冷蔵庫に収納する冷凍食品の大きさ種類が多様化しているので、例えば、一つの引き出し扉内に設けられる食品収納容器の数を複数に分割して、該複数の食品収納容器のうちの最下段の食品収納容器を扉枠で支持すると共に、該最下段の食品収納容器の上部フランジにて、下段から２番目の容器の負荷を支持する構成にし、且つ、下段から３番目の容器を前記下段から２番目の容器の上部に設置する構成にしてある。
【０００８】
従って、前記扉枠には前述した最下段の容器と下段から２番目の容器との合計の負荷が掛かり、且つ、該引き出し扉を開閉する為のハンドルから前記扉枠までの距離が大きく設定されるので、扉枠の扉への取り付け部に、大きなモーメント負荷が加わる。しかも、このモーメント負荷は、冷蔵庫の扉を開放するたびに発生する。従って、該冷蔵庫を長期間使用すると、扉取り付け部に亀裂等の破損が生じる恐れがある。
【０００９】
本発明は、上記課題を解決するものである。本発明の目的は、引き出し扉の扉枠に載置される食品収納用の容器内に大量の食品が収納された場合でも、強度を保つことができる冷蔵庫を提供することにある。
【課題を解決するための手段】
【００１０】
本発明は上記目的を達成する為に、内板側に取り付けられる固定部と、収納容器を載置するフレーム基部と、を備えた左右の扉枠を有する冷蔵庫において、前記固定部と前記フレーム基部との間に設けられ、該固定部とフレーム基部とを連結するフレーム前端部と、前記扉枠の上縁であって前記フレーム前端部と前記固定部と前記フレーム基部とに設けられ、且つ前記収納容器の反対方向に折り曲げられた折り曲げフランジ部と、前記フレーム前端部に、扉開閉時の収納容器の動きを規制する扉開閉時の収納容器の動きを規制する略鉛直方向の立上げ部と、前記収納容器の前面に前記立上げ部に添って設けられたストッパー部と、を備え、前記収納容器のストッパー部が前記フレーム前端部の前記立上げ部に当接して、前記扉枠と前記収納容器とは前後方向に位置規制されることを特徴とする。
【００１１】
また、前記折り曲げフランジ部は前記扉枠の上縁に設けられ、且つ該折り曲げフランジ部は前記収納容器の反対方向に折り曲げられたことを特徴とする。
【００１２】
また、前記折り曲げフランジ部は前記扉枠の上縁に設けるとともに、該折り曲げフランジ部を前記収納容器側に折り曲げたことを特徴とする。
【００１４】
また、前記収納容器は上段収納容器と下段収納容器とを有し、前記上段収納容器に設けられた当接部が前記下段容器に設けられたストッパー後面に当接して、前記下段収納容器と上段収納容器との前後方向の位置決めを行うようにしたことを特徴とする。
【００１５】
また、前記固定部の高さ寸法を、前記フレーム基部の高さ寸法の１.５倍以上にしたことを特徴とする。
【００１６】
また、前記扉枠の前記固定部の高さ位置は前記フレーム基部の高さ位置より高く設けられ、前記固定部は複数の係止具により前記補強部材に固定され、少なくとも前記係止具の一の固定位置は前記フレーム基部の高さ位置より高い位置にしたことを特徴とする。
【００１７】
また、前記補強部材は前記扉内板と前記収納容器との間隔を縮めるために、前記固定部の前記折り曲げフランジが前記収納容器側に突出する寸法を吸収する凹部を有することを特徴とする。
【００１８】
また、前記扉枠の前端部及び前記固定部は、前記フレーム基部と別体に設けられ、前記前端部及び前記固定部と前記フレーム基部とは溶接されることを特徴とする。
【発明の効果】
【００１９】
上述したように本発明は、引き出し扉の扉枠に載置される食品収納用の容器内に大量の食品が収納された場合でも、強度を保つことができる冷蔵庫を提供できる。
【発明を実施するための最良の形態】
【００２０】
以下、本発明の実施例について、図面を参照しながら説明する。
【実施例１】
【００２１】
図１は本発明の実施例１における冷蔵庫の縦断面説明図である。
【００２２】
図において、冷蔵庫本体４１は複数の収納室に分割されており、最上部は冷蔵室４２となっていてその扉は一例としては左右両側に開く所謂フレンチドアとなっている。冷蔵室４２の下側は、例えば図示しない自動製氷装置によって製作された氷を蓄積して取り出す製氷室４３となっている。
【００２３】
さらにその下部は手前に引き出して開閉可能な引き出し扉５１を備えた冷凍室４４となっており、最下段も引き出し扉を備えた野菜室４５となっている構成である。
【００２４】
そして、上記複数の収納室は、圧縮機４８，冷却器４７，送風機４６によってそれぞれ所定の温度に冷却される構成である。
【００２５】
ここで、前記冷凍室４４は、前後に引き出し可能な引き出し扉５１を備え、ハンドル５２によって手動で開閉できる引き出し扉、若しくは、図示しない電動扉開閉機構によって電動で開閉できる引き出し扉としてある。
【００２６】
そして、上記引き出し扉５１は、扉内板５４側に固定した後述する扉枠１００と、該扉枠１００に載置された後述する収納容器６０を備えて、且つ、冷蔵庫本体４１側に設けられた固定ローラ４９、及び前記扉枠１００自身に設けられた移動ローラ５０によって、前後に引き出し可能な構成としてある。
【００２７】
次に、図２について説明する。図２は本発明の実施例１における扉と扉枠との分解斜視説明図である。なお、前述した図１と同一構成については、同一符号を付して詳細な説明を省略する。
【００２８】
図に於いて、引き出し扉５１に備えられた扉枠１００は、後述するように扉内板５４側に取付けられる固定部１４０と、収納容器６０（図１の６０）を載置するフレーム基部１２０と、前記固定部１４０とフレーム基部１２０の間にあり、且つ、前記固定部１４０とフレーム基部１２０とを連結するフレーム前端部１６０とにより構成してある。
【００２９】
また、扉枠１００は、引出し方向の前後方向に縦長状に形成され、且つ、収納容器６０（図１の６０）を載置するフレーム基部１２０と、該フレーム基部１２０の高さ方向の幅寸法ｈ１より大きく設定されたフレーム前端部１６０（高さ方向の幅寸法ｈ５＞ｈ１）と、前記フレーム前端部１６０と高さ方向の幅寸法ｈ６をほぼ等しく設定し、且つ、前記フレーム前端部１６０と略直角に交差して扉内板５４側に固定できるように形成された固定部１４０と、を一体に有する構成にしてある。
【００３０】
そして、前記固定部１４０と、フレーム前端部１６０と、フレーム基部１２０と、に折り曲げフランジ１０１を形成することにより、扉枠１００に大きな負荷が加わっても、前記折り曲げフランジ１０１による補強効果により、例えば、扉枠１００の根元部Ｋ１に亀裂等の破損が生じる恐れを少なくしてある。
【００３１】
また、フレーム前端部１６０に、扉開閉時の収納容器の動きを規制する立上げ部１６４を、上記折り曲げフランジ１０１の一部で形成することによって、上記扉５１の開閉による振動等によって前記収納容器が、例えば、扉内板５４や他のものに当接し難いように構成してある。
【００３２】
そして、上記の折り曲げフランジ１０１の曲げ方向を、前記収納容器の反対方向に折り曲げて外側折り曲げフランジとすることによって、後述するように扉枠１００への収納容器着脱の際、万一、該収納容器と扉枠１００との間に手指などを挟んだ場合にも、その手指などの損傷を少なく出来るように構成してある。
【００３３】
また、前記、扉枠１００に大きな負荷が加わっても、該扉枠１００の倒れや捩じれ等の変形を少なくするために、扉内板５４の断熱材側に上記固定部１４０を係止できる補強部材５７を設けると共に、扉枠１００の後部に連結部材１０５を備えてある。
【００３４】
次に、図３，図４を用いて説明する。図３は前述した図１におけるＡ−Ａ線要部断面説明図であり、図４は図３におけるＢ−Ｂ線要部断面説明図である。なお、前述した図１，図２と同一構成については、同一符号を付して詳細な説明を省略する。
【００３５】
先ず、図４により説明する。引き出し扉５１は、外殻を形成する扉外板５３と、内壁を形成する扉内板５４と、前記扉外板５３と扉内板５４との間を断熱する断熱材５１ａとで形成すると共に、前記扉内板５４の断熱材側に補強部材５７を備えてある。
【００３６】
そして、図３，図４に示すように、前記補強部材５７自身に剛性を向上させるためのリブ５７ａを複数、例えば、図３に示すように、十字状に複数本設けてある。そして、前記複数本のリブ５７ａのうちの一本、例えば、５７ｂのリブを、後述する固定部の折り曲げフランジ１４１が空隙を有して埋設できる凹部に形成してある。換言すれば、補強部材５７は、扉内板５４と容器収納部前面６０ｈとの間隔δ３２寸法を縮めるために、固定部の折り曲げフランジ１４１が収納容器側に突出する寸法を吸収する凹部５７ｂをもつ構成としてある。
【００３７】
そして、補強部材５７の高さ寸法ｈ９を、後述するフレーム基部１２０の高さ寸法ｈ１の１.５倍以上にすると共に、前記補強部材の上縁フランジ５７ｃの高さ位置を、前記扉枠の固定部上縁の折り曲げフランジ１４１より高い位置に設定する（図３，図４のｈ８寸法を零より大きく設定する）。また、補強部材５７と扉内板５４とをネジ等の複数の係止具５９により固定すると共に、前記補強部材５７と前記扉枠の固定部１４０とを扉内板５４を挟んでネジ等の複数の係止具５８ａ，５８ｂ，５８ｃにより固定する。これにより、前記扉枠１００に大きな負荷が加わっても、該扉枠１００の倒れや捩じれ等の変形を少なくできる構成にしてある。
【００３８】
そして、前記扉枠の固定部１４０の高さ寸法ｈ６を、前記フレーム基部１２０の高さ寸法ｈ１の１.５倍以上にすると共に、前記扉枠の固定部上縁の折り曲げフランジ１４１の高さ位置を、フレーム基部１２０の高さ位置より高い位置に設定する（図３，図４のｈ４寸法を零より大きく設定する）。そして、前記補強部材５７と扉枠の固定部１４０とを係止する複数の係止具のうち、少なくとも１個以上の係止具５８ａ若しくは５８ｂの固定位置を、フレーム基部１２０の高さ位置より高い位置に設定する（図３，図４のｈ７寸法を零より大きく設定する）。これにより、前記扉枠１００に大きな負荷が加わっても、該扉枠１００の倒れや捩じれ等の変形を少なくできる構成にしてある。
【００３９】
また、図３に示すように、収納容器６０を載置するフレーム基部１２０の上縁を、前記収納容器６０側でない方向に折り曲げて、フレーム基部上縁の折り曲げフランジ１２１を形成する。つまり、上記折り曲げフランジの折り曲げ部１０２側は折り曲げのために曲面状とする。
【００４０】
なお、上記フレーム基部上縁の折り曲げフランジ１２１は、後述する折り曲げフランジ１０１の一部を形成しているので、該折り曲げフランジ１０１の曲げ方向を、前記収納容器６０側でない方向に折り曲げて外側折り曲げフランジとする。
【００４１】
次に、図５について説明する。図５は前述した図３におけるＣ−Ｃ線要部断面説明図である。なお、前述した図１〜図４と同一構成については、同一符号を付して詳細な説明を省略する。
【００４２】
図に於いて、引き出し扉５１に備えられた扉枠１００は、引出し方向の前後方向に縦長状に形成され、且つ、収納容器６０を載置するフレーム基部１２０と、該フレーム基部１２０の高さ方向の幅寸法ｈ１より大きく設定されたフレーム前端部１６０（高さ方向の幅寸法ｈ５）と、前記フレーム前端部１６０と高さ方向の幅寸法ｈ６をほぼ等しく設定した固定部１４０と、を一体に有する構成にしてある。
【００４３】
そして、上記フレーム基部１２０の下縁前部で、且つ、固定ローラ４９に載置されて、該固定ローラ４９上を摺動する部分に、固定ローラ４９を摺動，収納する傾斜を有する凹部１２４を設けて、扉のクローザ機能を付与してある。
【００４４】
そして、フレーム前端部１６０とフレーム基部１２０との連結部１６１の高さ方向の幅寸法ｈ２より、フレーム前端部１６０と固定部１４０との連結部１６２の高さ方向の幅寸法ｈ１０を大きく設定することにより、該フレーム前端部の立上げ部１６４（高さ方向の幅寸法ｈ４）（ｈ４＝ｈ１０−ｈ１）を形成する構成としてある。
【００４５】
そして、前記フレーム前端部の立上げ部１６４の一部を垂直に近い角度をもった立上げ部にし、且つ、該部を後述する折り曲げフランジ１０１の一部を構成する立上げ部の折り曲げフランジ１６６として形成する。また、前記収納容器６０の前面に、前記立上げ部１６４に添ったストッパー部６０ａを形成し、前記収納容器のストッパー部６０ａが前記フレーム前端部の立上げ部１６４に当接する。これにより、前記扉枠１００と前記収納容器６０との前後方向の位置決めを行うようにする。よって、該引き出し扉５１の扉開閉時に、万一、収納容器６０が前後に動いても、その収納容器フランジ前面６０ｇが扉内板５４に当接しない構成としてある。
【００４６】
なお、上記前後方向の位置決めをするための立上げ部１６４のうち垂直に近い角度をもった立上げ部の高さｈ３寸法は、該立上げ部の構成材料や、該部に当接する収納容器の材質やその重量により設定するものである。発明者らの実験やシミュレーション等によれば、例えば、前記フレーム前端部の立上げ部１６４、つまり、後述する立上げ部の折り曲げフランジ１６６を１.０〜２.３mm厚さの鋼板とし、収納容器６０の内容積を４０〜９０Ｌ、その材質をポリプロピレン樹脂とした場合、上記ｈ３寸法を約５mm以上に設定すれば、引き出し扉５１の扉開閉時の収納容器の動きを規制できることが判った。
【００４７】
そして、前記フレーム前端部の立上げ部１６４（高さ方向の幅寸法ｈ４）の下部であるフレーム前端部のベース部１６３の上縁に曲面Ｒ１状の連結折り曲げフランジ１６５を設けると共に、前記立上げ部１６４の側縁で、且つ、前記収納容器のストッパー部６０ａが当接する側に立上げ部の折り曲げフランジ１６６を設け、前記フレーム基部１２０の上縁に折り曲げフランジ１２１を設けて、上記折り曲げフランジ１２１，１６５，１６６を折り曲げフランジ１０１として形成することによって、前記扉枠１００に大きな負荷が加わっても、前記折り曲げフランジ１０１による補強効果により、例えば、扉枠１００の根元部Ｋ２に亀裂等の破損が生じる恐れを少なくする構成にしてある。
【００４８】
更に、前記扉枠の固定部上縁に、該固定部を補強する折り曲げフランジ１４１と、前記折り曲げフランジ１４１と前記立上げ部の折り曲げフランジ１６６とを連結する立上げ部上縁の折り曲げフランジ１６７と、を設け、該折り曲げフランジ１４１と、１６７と、前述した折り曲げフランジ１６６，１６５，１２１とを折り曲げフランジ１０１として形成することによって、前記扉枠１００に大きな負荷が加わっても、前記折り曲げフランジ１０１による補強効果により、例えば、扉枠１００の根元部Ｋ２に亀裂等の破損が生じる恐れを少なくする構成にしてある。
【００４９】
なお、上述した折り曲げフランジ１６５の曲面Ｒ１の寸法を大きく設定すれば、（つまり図のｈ２寸法を大きく設定すれば）上述した補強効果が増加するので、前記扉枠１００に加わる負荷の大きさに応じて、上記曲面Ｒ１の寸法（つまり図のｈ２寸法）を設定すれば良い。
【００５０】
また、上記扉枠１００の強度を向上させる為に、上述した扉枠のフレーム基部１２０の下縁に折り曲げフランジ１２２を設ける構成であっても良い。
【００５１】
以上のように構成されているので本発明の第１の実施例は、扉枠の固定部１４０と、フレーム前端部１６０と、フレーム基部１２０と、に折り曲げフランジ１０１を形成したので、収納容器内に大量の食品が収納されても、該扉枠に亀裂や変形等の生じる恐れが少ない冷蔵庫を提供できる。
【００５２】
また、フレーム前端部に、扉開閉時の収納容器の動きを規制する立上げ部を、上記折り曲げフランジ部で形成した。これにより、万一、扉開閉時に上記収納容器が振動しても、該立上げ部を乗り越えることがなく、該収納容器と扉内板や他の容器等との当接がし難くなるので、その当該部に扉内板等に亀裂や変形等の生じる恐れの少ない冷蔵庫を提供できる。
【００５３】
また、折り曲げフランジ部を、収納容器の反対方向に折り曲げた外側折り曲げフランジとしたので、上記折り曲げフランジの折り曲げ部は折り曲げのために曲面状となる。
【００５４】
また、扉内板と補強部材とに、前述した扉枠の固定部の折り曲げフランジ部が空隙を有して埋設できる凹部を形成し、前記凹部を、前記補強部材自身に剛性を向上させるためのリブと兼用したので、補強部材の補強効果が向上するとともに、補強部材の加工性が向上するので、製造コスト上有利な冷蔵庫を提供できる。
【００５５】
また、補強部材は、扉内板と収納容器との間隔を縮めるために、固定部自身の強度を向上するための折り曲げフランジが、収納容器側に突出する寸法を吸収する凹部をもっているので、該収納容器の食品収納スペースが減少しない構成となるので、容積効率の良い冷蔵庫を提供できる。
【００５６】
また、扉枠の固定部の高さ位置をフレーム基部の高さ位置より高い位置に設定すると共に、前記固定部を複数の係止具により前記補強部材に固定し、少なくとも１個以上の係止具の固定位置を、前記フレーム基部の高さ位置より高い位置にしたので、前記扉枠に大きな負荷が加わっても、該扉枠の倒れや捩じれ等の変形を少なくできると共に、該扉枠に亀裂や変形等の生じる恐れの少ない冷蔵庫を提供できる。
【００５７】
また、扉枠の固定部の高さ寸法を、前記フレーム基部の高さ寸法の１.５倍以上にしたので、フレーム基部のモーメント負荷を支える固定部の位置が、前記収納容器の負荷を受けるフレーム基部の位置より高くなるので、該扉枠に大きな負荷が加わっても、該扉枠の倒れや捩じれ等の変形を少なくできる冷蔵庫を提供できる。
【実施例２】
【００５８】
以下、本発明の第２の実施例について、図６〜図８を参照しながら説明する。図６は本発明の実施例２における冷蔵庫の縦断面説明図であり、図７は図６におけるＤ−Ｄ線要部断面説明図であり、図８は図７におけるＥ−Ｅ線要部断面説明図である。なお、前述した実施例１と同一構成については、同一符号を付して詳細な説明を省略する。
【００５９】
先ず図６により説明する。図において、４１は冷蔵庫本体であり、この冷蔵庫本体４１内には複数の区画された室が設けてあり、該室を使用頻度の多い順に、上から順に配置することにより、該冷蔵庫の使い勝手が良くなるように構成してある。
【００６０】
例えば、上から順に、冷蔵室４２，製氷室４３，冷凍室４４，野菜室４５を設ける構成にしてある。
【００６１】
そして、上記複数の室は、圧縮機４８，冷却器４７，送風機４６によってそれぞれ所定の温度に冷却される構成である。
【００６２】
ここで、前記冷凍室内には、貯蔵される冷凍食品の大きさ別に収納できる複数の容器を備えている。例えば、後述するスライド容器６１，上段収納容器６２，下段収納容器６３の３個の容器を備えている。
【００６３】
そして、前記冷凍室４４は、前後に引き出し可能な引き出し扉５１を備え、ハンドル５２によって手動で開閉できる引き出し扉、若しくは、図示しない電動扉開閉機構によって電動で開閉できる引き出し扉としてある。
【００６４】
そして、上記引き出し扉５１は、扉内板５４側に固定した後述する扉枠２００と、該扉枠２００に載置された後述する下段収納容器６３を備えて、且つ、冷蔵庫本体４１側に設けられた固定ローラ４９、及び前記扉枠２００自身に設けられた移動ローラ５０によって、前後に引き出し可能な構成としてある。
【００６５】
そして、引き出し扉５１に備えられた扉枠２００は、後述するように扉内板５４側に取付けられる固定部２４０と、下段収納容器６３を載置するフレーム基部２２０と、前記固定部２４０とフレーム基部２２０の間にあり、且つ、前記固定部２４０とフレーム基部２２０とを連結するフレーム前端部２６０とにより構成してある。そして、前記扉枠２００の間に載置された下段収納容器６３のフランジ６３ｄ上を前後に摺動できるように形成された上段収納容器６２を設けてある。
【００６６】
換言すれば、実施例１にて前述した収納容器６０（図１の６０）を、扉枠２００の間に載置する下段収納容器６３と、該下段収納容器のフランジ６３ｄ上を前後に摺動できるように形成された上段収納容器とで構成してある。
【００６７】
次に、図７，図８について説明する。先ず図８において、引き出し扉５１に備えられた扉枠２００は、引出し方向の前後方向に縦長状に形成され、且つ、下段収納容器６３を載置するフレーム基部２２０と、該フレーム基部２２０の高さ方向の幅寸法ｈ１より大きく設定されたフレーム前端部２６０（高さ方向の幅寸法ｈ５）と、前記フレーム前端部２６０と高さ方向の幅寸法ｈ６をほぼ等しく設定した固定部２４０と、を一体に有する構成にしてある。
【００６８】
そして、フレーム前端部２６０とフレーム基部２２０との連結部２６１の高さ方向の幅寸法ｈ２より、フレーム前端部２６０と固定部２４０との連結部２６２の高さ方向の幅寸法ｈ１０を大きく設定することにより、該フレーム前端部の立上げ部２６４（高さ方向の幅寸法ｈ４）（ｈ４＝ｈ１０−ｈ１）を形成する。
【００６９】
そして、前記フレーム前端部の立上げ部２６４の一部を垂直に近い角度をもった立上げ部にし、該部を後述する折り曲げフランジ２０１の一部を構成する立上げ部の折り曲げフランジ２６６として形成する。また、前記下段収納容器６３に、前記立上げ部２６４に添ったストッパー部６３ａを形成し、前記下段収納容器のストッパー部６３ａの前面６３ｂが前記フレーム前端部の立上げ部２６６に当接する。これにより、前記扉枠２００と前記下段収納容器６３との前後方向の位置決めを行うことによって、該引き出し扉５１の扉開閉時に、万一、下段収納容器６３が前後に動いても、その下段収納容器フランジ前面６３ｇが扉内板５４に当接しない構成としてある。
【００７０】
さらに、上記下段収納容器のフランジ６３ｄ上を前後に摺動できるように形成された上段収納容器６２を形成し、該上段収納容器６２の前面に、前記下段収納容器のストッパー部後面の６３ｃに添った当接部６２ａを形成し、前記下段収納容器ストッパー部後面の６３ｃに上段収納容器の当接部６２ａが当接する。これにより、前記下段収納容器６３と前記上段収納容器６２との前後方向の位置決めを行うことによって、該引き出し扉５１の扉開閉時に、万一、上段収納容器６２が前後に動いても、その上段収納容器フランジ前面６２ｇが扉内板５４に当接しない構成としてある。
【００７１】
なお、図８に示すように、上記下段収納容器上部フランジに凹部６３ｅを設け、該凹部６３ｅと係合する凸部６２ｅを上段収納容器下部に設けることによって、前述した下段収納容器６３と前記上段収納容器６２との前後方向の位置決めを行うようにする構成であっても良い。
【００７２】
そして、前記フレーム前端部の立上げ部側縁で、且つ、前記下段収納容器のストッパー部６３ａが当接する側に立上げ部の折り曲げフランジ２６６を設け、該折り曲げフランジ２６６下部と、フレーム基部２２０の上縁に設けた折り曲げフランジ２２１とを図に示すように傾斜面で連結する連結折り曲げフランジ２６５を設けると共に、上記折り曲げフランジ２６６，２６５，２２１を折り曲げフランジ２０１として形成する。これによって、前記扉枠２００に大きな負荷が加わっても、前記折り曲げフランジ２０１による補強効果により、例えば、扉枠２００の根元部Ｋ５に亀裂等の破損が生じる恐れを少なくする構成にしてある。
【００７３】
更に、前記扉枠の固定部上縁に、該固定部を補強する折り曲げフランジ２４１と、前記折り曲げフランジ２４１と前記立上げ部の折り曲げフランジ２６６とを連結する立上げ部上縁の折り曲げフランジ２６７と、を設け、該折り曲げフランジ２４１と、２６７と、前述した折り曲げフランジ２６６，２６５，２２１とを折り曲げフランジ２０１として形成する。これによって、前記扉枠２００に大きな負荷が加わっても、前記折り曲げフランジ２０１による補強効果により、例えば、扉枠２００の根元部Ｋ５に亀裂等の破損が生じる恐れを少なくする構成にしてある。
【００７４】
なお、上記扉枠２００の強度を向上させる為に、上述した扉枠のフレーム基部２２０の下縁に折り曲げフランジ２２２を設けるのも良い。
【００７５】
また、図７に示すように、下段収納容器６３を載置するフレーム基部２２０の上縁を、前記下段収納容器６３側でない方向に折り曲げて、フレーム基部上縁の折り曲げフランジ２２１を形成する。つまり、該折り曲げフランジの折り曲げ部２０２を下段収納容器６３側とし、折り曲げフランジの先端２０３を下段収納容器６３側でない方向とすれば、上記折り曲げフランジの折り曲げ部２０２側は折り曲げのために曲面状となる。
【００７６】
なお、上記フレーム基部上縁の折り曲げフランジ２２１は、前述した折り曲げフランジ２０１の一部を形成しているので、該折り曲げフランジ２０１の曲げ方向を、前記下段収納容器６３側でない方向に折り曲げて外側折り曲げフランジとなる。
【００７７】
以上のように構成されているので本発明の第２の実施例は、扉枠の固定部２４０と、フレーム前端部２６０と、フレーム基部２２０と、に折り曲げフランジ２０１を形成したので、収納容器内に大量の食品が収納されても、該扉枠に亀裂や変形等の生じる恐れの少ない冷蔵庫を提供できる。
【００７８】
また、フレーム前端部に、扉開閉時の下段収納容器の動きを規制する立上げ部を、上記折り曲げフランジ部で形成したので、該引き出し扉の扉開閉時に、万一、下段収納容器が前後に動いても、その下段収納容器フランジ前面が扉内板等に当接しないので、当該部に亀裂や変形等の生じる恐れの少ない冷蔵庫を提供できる。
【００７９】
さらに、上段収納容器の前面に、前記下段収納容器のストッパー部に添った当接部を形成し、前記下段収納容器のストッパー部に上段収納容器の当接部が当接することにより、前記下段収納容器と前記上段収納容器との前後方向の位置決めを行うことによって、該引き出し扉の扉開閉時に、万一、上段収納容器が前後に動いても、その上段収納容器フランジ前面が扉内板５４に当接しないので、当該部に亀裂や変形等の生じる恐れの少ない冷蔵庫を提供できる。
【実施例３】
【００８０】
以下、本発明の第３の実施例について、図９〜図１１を参照しながら説明する。図９は本発明の実施例３における冷蔵庫の要部断面説明図であり、図１０は図９におけるＧ−Ｇ線要部断面説明図、図１１は図９におけるＪ−Ｊ線要部断面説明図である。なお、前述した実施例１，２と同一構成については、同一符号を付して詳細な説明を省略する。
【００８１】
先ず、図１１について説明する。図に於いて、引き出し扉５１に備えられた左右の扉枠３００は、該扉枠の固定部３４０と前端部３６０とを、フレーム基部３２０と別体に作り、それを溶接等で一体化した構成としてある。
【００８２】
つまり、高さ方向の幅寸法ｈ１がほぼ均一であるフレーム基部３２０を、該フレーム基部３２０のみで作る。これによって、その原材料、例えば、所定寸法を有する定尺鋼板、若しくは、所定幅の帯状鋼板よりの板取りを効率よく行えるように形成する。
【００８３】
そして、前記フレーム基部３２０の高さ方向の幅寸法ｈ１より大きく設定されたフレーム前端部３６０（高さ方向の幅寸法ｈ５）と、前記フレーム前端部３６０と高さ方向の幅寸法ｈ６をほぼ等しく設定した固定部３４０とを一体に有する扉枠前部３８０を、該扉枠前部３８０のみで作る。これによって、その原材料、例えば、所定寸法を有する定尺鋼板、若しくは、所定幅の帯状鋼板よりの板取りを効率よく行えるように形成する。
【００８４】
そして、上記フレーム基部３２０に設けた基部の接合部３２５と、上記扉枠前部３８０に設けた前部の接合部３８１とを溶接等で一体化した構成としてある。
【００８５】
そして、上記収納容器６０を載置するフレーム基部３２０は、引出し方向の前後方向に縦長状に構成され、また、固定部３６０は扉内板５４側に取付けられるように構成されている。
【００８６】
そして、フレーム前端部の立上げ部３６４（高さ方向の幅寸法ｈ４）（ｈ４＝ｈ５−ｈ１）を形成し、該立上げ部３６４の一部を垂直に近い角度をもった立上げ部にし、且つ、該部を後述する折り曲げフランジ３０１の一部を構成する立上げ部の折り曲げフランジ３６６として形成する。また、前記収納容器６０の前面に、前記立上げ部１６４に添ったストッパー部６０ａを形成し、前記収納容器のストッパー部６０ａが前記フレーム前端部の立上げ部３６４に当接する。これにより、前記扉枠３００と前記収納容器６０との前後方向の位置決めを行うことによって、該引き出し扉５１の扉開閉時に、万一、収納容器６０が前後に動いても、その収納容器フランジ前面６０ｇが扉内板５４に当接しない構成としてある。
【００８７】
また、前記フレーム前端部の立上げ部１６４（高さ方向の幅寸法ｈ４）の下部に連結折り曲げフランジ３６５を設けると共に、前記立上げ部３６４の側縁で、且つ、前記収納容器のストッパー部６０ａが当接する側に立上げ部の折り曲げフランジ３６６を設け、前記フレーム基部３２０の上縁に折り曲げフランジ３２１を設ける。更に、前記扉枠の固定部上縁に、該固定部を補強する折り曲げフランジ３４１を設けて、該折り曲げフランジ３４１，３６６，３６５，３２１とを折り曲げフランジ３０１として形成することによって、前記扉枠３００に大きな負荷が加わっても、前記折り曲げフランジ３０１による補強効果により、例えば、扉枠３００の根元部に亀裂等の破損が生じる恐れを少なくする構成にしてある。
【００８８】
そして、図１０に示すように、引き出し扉５１は、外殻を形成する扉外板５３と、内壁を形成する扉内板５４と、前記扉外板５３と扉内板５４との間を断熱する断熱材５１ａとで形成すると共に、前記扉内板５４の断熱材側に補強部材５７を備えた構成としてある。
【００８９】
そして、図９，図１０に示すように、補強部材５７に後述する固定部の凹部３４２が空隙を有して埋設できる凹部５７ｂを形成し、該凹部５７ｂを前記補強部材５７自身に剛性を向上させるためのリブ５７ａと兼用した構成にしてある。換言すれば、補強部材５７は、扉内板５４と容器収納部前面６０ｈとの間隔δ３２寸法を縮めるために、固定部の折り曲げフランジ３４１が収納容器側に突出する寸法を吸収する凹部５７ｂをもつ構成としてある。
【００９０】
そして、補強部材５７と扉内板５４とをネジ等の複数の係止具５９により固定すると共に、前記補強部材５７と扉枠の固定部３４０とを扉内板５４を挟んでネジ等の複数の係止具５８ａ，５８ｂ，５８ｃにより固定することにより、扉枠３００に大きな負荷が加わっても、該扉枠３００の倒れや捩じれ等の変形を少なくできる構成にしてある。
【００９１】
更に、上記補強部材５７と扉枠の固定部３４０とを係止する複数の係止具のうち、少なくとも１個以上の係止具５８ａ若しくは５８ｂの固定位置を、フレーム基部３２０の高さ位置より高い位置に設定する（図１０のｈ７寸法を零より大きく設定する）。これにより、前記扉枠３００に大きな負荷が加わっても、該扉枠３００の倒れや捩じれ等の変形を少なくできる構成にしてある。
【００９２】
また、図９に示すように、収納容器６０を載置するフレーム基部１２０の上縁を、前記収納容器６０側に折り曲げて、フレーム基部上縁の折り曲げフランジ３２１を形成する。つまり、折り曲げフランジの先端３０３を収納容器６０側にして、該折り曲げフランジの折り曲げ部３０２を収納容器６０の外側とする。これによって、該引き出し扉を開放したときに、上記扉枠の平面部が露出し、折り曲げフランジの先端３０３部は露出しないので、外観的に優れた冷蔵庫となる。
【００９３】
なお、上記フレーム基部上縁の折り曲げフランジ３２１は、前述した折り曲げフランジ３０１の一部を形成しているので、該折り曲げフランジ３０１の曲げ方向を、前記収納容器６０側に折り曲げて内側折り曲げフランジとする。これによって、上述したように、引き出し扉を開放したときに、上記扉枠全体にわたって、平面部が露出し、折り曲げフランジの先端部は露出しないので、外観的に優れた冷蔵庫となる。
【００９４】
そして、上述したように折り曲げフランジ３０１の曲げ方向を、前記収納容器６０側に折り曲げて内側折り曲げフランジとすると、図１０に示すように固定部上縁の折り曲げフランジ３４１においても、その折り曲げフランジの先端部３０３が前記収納容器６０側になり、該折り曲げフランジの折り曲げ部３０２が扉内板側と成る。従って、折り曲げフランジの先端部３０３が前記収納容器６０と当接して、該収納容器６０に亀裂等の破損が生じないように、間隙δ３１を設定する必要がある。
【００９５】
つまり、上記折り曲げフランジ３４１及び間隙δ３１の、収納容器６０側への突出によって、該収納容器６０の食品収納スペースが減少する恐れがある。従って、本発明においては、扉内板５４と容器収納部前面６０ｈとの間隔δ３２寸法を縮めるために、補強部材５７に、上記折り曲げフランジ３４１が収納容器側に突出する寸法を吸収する凹部５７ｂをもつ構成としてある。
【００９６】
また、上記のように構成すると、補強部材の凹部５７ｂの深さは、上記固定部上縁の折り曲げフランジ３４１の高さと上記間隙δ３１とを加味した寸法となるので、該部の断熱材厚さＴ３１はその分減少してしまう。
【００９７】
従って、本発明に於いては、上記断熱材厚さＴ３１が減少してしまう範囲ｈ３１を少なくする為に、上記固定部上縁の折り曲げフランジ３４１の高さ分に相当する寸法Ｄ３１の深さを持った凹部３４２を固定部３４０に設けてある。
【００９８】
以上のように構成されているので本発明の第３の実施例は、扉枠の固定部３４０と、フレーム前端部３６０と、フレーム基部３２０と、に折り曲げフランジ３０１を形成したので、収納容器内に大量の食品が収納されても、該扉枠に亀裂や変形等の生じる恐れの少ない冷蔵庫を提供できる。
【００９９】
また、扉枠の固定部３４０と前端部３６０とを、フレーム基部３２０と別体に作り、それを溶接等で一体化した構成としてある。よって、それぞれがその原材料、例えば、所定寸法を有する定尺鋼板、若しくは、所定幅の帯状鋼板よりの板取りを効率よく行えるので、製造コスト上有利な冷蔵庫を提供できる。
【０１００】
また、フレーム前端部に、扉開閉時の収納容器の動きを規制する立上げ部を、上記折り曲げフランジ部で形成したので、扉内板や他の容器等との当接がし難くなるので、当該部に亀裂や変形等の生じる恐れの少ない冷蔵庫を提供できる。
【０１０１】
また、折り曲げフランジ部を、収納容器側に折り曲げた内側折り曲げフランジとしたので、引き出し扉を開放したときに、上記扉枠の平面部が露出し、折り曲げフランジの先端部は露出しないので、外観的に優れた冷蔵庫となる。
【０１０２】
また、補強部材は、扉内板と収納容器との間隔を縮めるために、固定部の折り曲げフランジが、収納容器側に突出する寸法を吸収する凹部をもっているので、該収納容器の食品収納スペースが減少しない構成となるので、容積効率の良い冷蔵庫を提供できる。
【０１０３】
また、本発明にかかる冷蔵庫は、引き出し扉用扉枠の固定部と、フレーム前端部と、フレーム基部とに折り曲げフランジ部を形成して、該扉枠の強度を向上し、また、フレーム前端部に、扉開閉時の収納容器の動きを規制する立上げ部を形成して、扉内板等に亀裂等の破損が生じる恐れの少ない構成としたので、引き出し扉を有する車載冷蔵庫や、食品を展示するための業務用ショウケース、或いは食品を貯蔵する業務用貯蔵室等の用途へも適用できる。
【図面の簡単な説明】
【０１０４】
【図１】本発明の実施例１における冷蔵庫の縦断面説明図である。
【図２】本発明の実施例１における扉と扉枠との分解斜視説明図である。
【図３】図１におけるＡ−Ａ線要部断面説明図である。
【図４】図３におけるＢ−Ｂ線要部断面説明図である。
【図５】図３におけるＣ−Ｃ線要部断面説明図である。
【図６】本発明の実施例２における冷蔵庫の縦断面説明図である。
【図７】図６におけるＤ−Ｄ線要部断面説明図である。
【図８】図７におけるＥ−Ｅ線要部断面説明図である。
【図９】本発明の実施例３における冷蔵庫の要部断面説明図である。
【図１０】図９におけるＧ−Ｇ線要部断面説明図である。
【図１１】図９におけるＪ−Ｊ線要部断面説明図である。
【符号の説明】
【０１０５】
４１  冷蔵庫本体
４１ａ  内箱
４１ｂ  内箱レール部
４２  冷蔵室
４３  製氷室
４４  冷凍室  
４５  野菜室
４６  送風機
４７  冷却器
４８  圧縮機
４９  固定ローラ
５０  移動ローラ  
５１  引き出し扉
５１ａ  断熱材
５２  ハンドル
５３  扉外板
５４  扉内板
５６  扉の高さ方向の中心位置
５７  補強部材
５７ａ  リブ
５７ｂ  凹部
５７ｃ  補強部材の上縁フランジ
５８ａ，５８ｂ，５８ｃ，５８ｄ，５９  係止具
６０  収納容器                    
６０ａ  収納容器のストッパー部
６０ｂ  ストッパー部の前面        
６０ｇ  収納容器フランジ前面
６０ｈ  容器収納部前面
６１  スライド容器                
６２  上段収納容器
６２ａ  上段収納容器の当接部  
６２ｄ  上段収納容器の摺動面
６２ｅ  上段収納容器下部の凸部
６２ｇ  上段収納容器フランジ前面
６３  下段収納容器                    
６３ａ  下段収納容器のストッパー部
６３ｂ  ストッパー部の前面
６３ｃ  ストッパー部の後面
６３ｄ  下段収納容器のフランジ      
６３ｅ  下段収納容器上部フランジの凹部
６３ｆ  下段収納容器のフランジ足部  
６３ｇ  下段収納容器フランジ前面
６３ｈ  下段容器収納部前面
１００，２００，３００  扉枠
１０１，２０１，３０１  扉枠の折り曲げフランジ
１０２，２０２，３０２  折り曲げフランジの折り曲げ部
１０３，２０３，３０３  折り曲げフランジの先端
１０５，２０５  扉枠の連結部材
１２０，２２０，３２０  扉枠のフレーム基部                
１２１，２２１，３２１  フレーム基部上縁の折り曲げフランジ係止孔
１２４  固定ローラ４９を摺動，収納する傾斜を有する凹部
１４１，２４１，３４１  固定部上縁の折り曲げフランジ
１６１，２６１，３６１  フレーム前端部とフレーム基部との連結部
１６２，２６２，３６２  フレーム前端部と固定部との連結部
１６３，２６３，３６３  フレーム前端部のベース部
１６５，２６５，３６５  連結折り曲げフランジ
１６６，２６６，３６６  立上げ部の折り曲げフランジ
１６７  立上げ部上縁の折り曲げフランジ
２２２，３２２  フレーム基部下縁の折り曲げフランジ                  
２６０，３６０  扉枠のフレーム前端部
２６４，３６４  フレーム前端部の立上げ部
３２５  基部の接合部
３４０  扉枠の固定部
３４２  固定部の凹部
３８０  扉枠前部
３８１  前部の接合部
【図１】
0004919898.tif 000002
【図２】
0004919898.tif 000003
【図３】
0004919898.tif 000004
【図４】
0004919898.tif 000005
【図５】
0004919898.tif 000006
【図６】
0004919898.tif 000007
【図７】
0004919898.tif 000008
【図８】
0004919898.tif 000009
【図９】
0004919898.tif 000010
【図１０】
0004919898.tif 000011
【図１１】
0004919898.tif 000012